(57)【要約】      （修正有）【課題】安定した制御が可能となる遠隔操作システムを提供する。【解決手段】操作部材（作業アーム、走行アーム）を支持する、所定数の弾性伸縮体の内圧を制御する場合において、予め算出され、記憶手段（データ記憶部９１）に記憶された弾性伸縮体の物理特性と当該弾性伸縮体内の内圧値に対応した比例ゲイン値、微分ゲイン値、積分ゲイン値の組み合わせから構成される対応表から抽出した値を利用して、ＰＩＤ制御により行う。【選択図】図２
2015096291.tif 000002
【特許請求の範囲】
【請求項１】
操作指令伝達手段を用い、通信手段を介して、運転操作手段を備える作業車を遠隔操作する遠隔操作システムにおいて、
前記運転操作手段を動作させる動作実行手段と、
前記操作指令伝達手段から送信された操作指令情報に基づいて前記動作実行手段を制御する制御手段と、を備え、
前記動作実行手段は、前記運転操作手段を操作するための操作部材と、
前記操作部材を支持するための、内部に加圧流体が供給されることによって所定方向に沿って軸力を発生する所定数の弾性伸縮体と、
前記各弾性伸縮体における少なくとも一つの物理特性を検出する物理特性検出装置と、
前記各弾性伸縮体内の内圧を検出する圧力検出装置と、
前記加圧流体を供給するための加圧流体供給装置と、を有し、
前記制御手段は、前記操作指令情報と前記圧力検出装置の検出結果に基づいて、前記各弾性伸縮体に供給する加圧流体量を制御するための加圧流体量制御装置と、を有するとともに、
前記加圧流体量制御装置は、予め算出され、記憶手段に記憶された、前記弾性伸縮体の物理特性と当該弾性伸縮体内の内圧値に対応した比例ゲイン値、微分ゲイン値及び積分ゲイン値の組み合わせから構成される対応表を備えており、
検出された前記各弾性伸縮体の内圧値と、検出された前記弾性伸縮体の物理特性と前記内圧に対応する前記比例ゲイン値、前記微分ゲイン値及び前記積分ゲイン値とを用い、ＰＩＤ制御により前記加圧流体供給装置における制御弁の開度を決定するためのアクチュエータ制御量を算出することを特徴とする遠隔操作システム。
【請求項２】
前記加圧流体量制御装置は、予め算出され、記憶手段に記憶された、前記弾性伸縮体の物理特性と当該弾性伸縮体内の内圧値に対応したフィードフォワードゲイン値の組み合わせから構成される対応表をさらに備えており、
前記加圧流体量制御装置は、さらに検出された前記弾性伸縮体の物理特性と前記フィードフォワードゲイン値を用い、
ＰＩＤフィードフォーワード制御により、前記アクチュエータ制御量を算出することを特徴とする請求項１に記載の遠隔操作システム。
【発明の詳細な説明】
【技術分野】
【０００１】
本発明は、人間の操作が困難な場所において、作業車を遠隔操作するのに好適な遠隔操作システムに関する。
【背景技術】
【０００２】
近年、地震の発生や火山活動による地盤崩壊、トンネル崩落、原子力発電所における放射能漏れ等予期しない突発的な災害が生じている。そのような災害現場では迅速な復旧作業が求められるが、二次災害の危険から作業員が直接に作業を行うことができず、尊い人命が失われるという状況も度々生じうる。そこで、操作者が無人の作業車を遠隔操作し、各種の作業を行うための遠隔操作システムが提案されている。
【０００３】
例えば、従来の遠隔操作システムとしては、作業車に配設され、フレーム部材、把持部材及び複数の空気圧作動式ゴム製伸縮部材（以下、「ゴム製伸縮部材」いう。）を含む運転操作手段を操作する操作手段と、その動作実行手段と、動作実行手段の制御手段とを備え、上記操作手段を遠隔操作することができるように構成されている。
【０００４】
上記動作実行手段は、エア供給源と、このエア供給源の空気を上記各ゴム製伸縮部材の空間部に供給すると共に各ゴム製伸縮部材の空間部のエアの排出を行なう切換弁を有しており、把持部材の位置を検知する位置検知手段と、ゴム製伸縮部材に供給されている空気圧を検知する圧力検知手段と、制御手段からの指令及び位置検知手段と圧力検知手段の検知結果に基づいて切換弁をサーボ制御する切換弁制御装置とを有する構成となっている（特許文献１）。
【特許文献１】特開２００５−１８６２１８公報
【発明の概要】
【発明が解決しようとする課題】
【０００５】
上記遠隔操作システムでは、ＰＩＤ制御により切換弁の開度を制御し、求められる指令値に追従した空気圧を供給している。
【０００６】
しかし、上記遠隔操作システムに使用するゴム製伸縮部材において、収縮率と内圧の相関関係は非線形の作動特性を有しており、その長さに応じて作動特性も変化してしまう。そのため、ゴム製伸縮部材の作動特性を一定値としてその制御を行うと、ゴム製伸縮部材を広範囲で安定して動作させることができないという問題点を有していた。
【０００７】
本発明は、上記問題点を解決するためになされたものであり、安定した制御が可能となる遠隔操作システムを提供することを目的としている。
【課題を解決するための手段】
【０００８】
本発明の遠隔操作システム（以下、「本遠隔操作システム」という。）は、操作指令伝達手段を用い、通信手段（無線、有線、無線及び有線の併用等いずれでもよい）を介して、運転操作手段を備える作業車を遠隔操作する遠隔操作システムにおいて、上記運転操作手段を動作させる動作実行手段と、上記操作指令伝達手段から送信された操作指令情報に基づいて上記動作実行手段を制御する制御手段と、を備え、上記動作実行手段は、上記運転操作手段を操作するための操作部材と、上記操作部材を支持するための、内部に加圧流体が供給されることによって所定方向に沿って軸力を発生させる所定数の弾性伸縮体と、上記各弾性伸縮体における少なくとも一つの物理特性を検出する物理特性検出装置と、上記各弾性伸縮体内の内圧を検出する圧力検出装置と、上記加圧流体を供給するための加圧流体供給装置と、を有し、上記制御手段は、上記操作指令情報と上記各弾性伸縮体に供給する加圧流体量を制御するための加圧流体量制御装置と、を有するとともに、上記加圧流体量制御装置は、予め算出され、記憶手段に記憶された、上記弾性伸縮体の物理特性と当該弾性伸縮体内の圧値に対応した比例ゲイン値、微分ゲイン値及び積分ゲイン値の組み合わせから構成される対応表を備えており、検出された上記各弾性伸縮体の内圧値と、検出された上記弾性伸縮体の物理特性と上記内圧に対応する上記比例ゲイン値、上記微分ゲイン値及び上記積分ゲイン値とを用い、ＰＩＤ制御方法により、上記加圧流体供給装置における制御弁の開度を決定するためのアクチュエータ制御量を算出することを特徴としている。
【０００９】
ここで、本発明で用いられる作業車は、油圧ショベル等の掘削機械、木材伐採機械、ブルドーザ、スクレーパ等の種々のタイプの建設機械に使用することができる。
また、運転操作手段は、操作者が作業車を操作する場合に使用するための各種の手段であり、作業レバー、走行レバー、アクセルレバー、ハンドル、エンジンキー又はアクセルペダル等を意味している。
【００１０】
弾性伸縮体は、内部に圧縮空気等の加圧流体が供給されることによって軸力を発生することができるものであれば、その種類は問わない。例えば、ゴム又はゴム状弾性材料で構成される管状体の外周が、有機又は無機質高張力繊維の編組み補強構造によって被覆されるとともに、両端開口が閉塞部材によって封止されており、閉塞部材に設けられた接続口を介して内部に加圧流体が供給されることにより、膨張及び伸縮変形し、軸線方向に沿って収縮力が発生する構造を採用することができる。
また、弾性収縮体は、運転操作手段の種類によって任意の数を使用することができる。
【００１１】
また、各弾性伸縮体の物理特性とは、各弾性伸縮体の伸び率、比重、温度など、種々の指標を選択することができるが、特に、各弾性伸縮体の長さとすることが好適である。
【００１２】
本発明によれば、加圧流体量制御装置が、予め算出され、記憶手段に記憶された上記弾性伸縮体の物理特性と当該弾性伸縮体の内圧値に対応した比例ゲイン、微分ゲイン及び積分ゲインの値の対応表を備えており、弾性伸縮体の物理特性に対応する当該比例ゲイン、微分ゲイン及び積分ゲインの値に基づき、ＰＩＤ制御方法により加圧流体制御弁の開度を調節することができる。そのため、弾性伸縮体の物理特性と当該弾性伸縮体の内圧が非線形の作動特性を有する場合であっても、加圧流体供給装置から供給される加圧流体供給量を最適な量に調節することにより、弾性伸縮体の内圧を制御することができる。したがって、弾性伸縮体の動作を安定的に行うことが可能となるため、動作実行手段の操作部材の位置決めを容易に行うことができるため、運転操作手段をスムーズに動作させることができる。
【００１３】
また、本発明によれば、簡易な装置により弾性伸縮体を安定的に制御可能となるため、装置の軽量化及び装置の取付作業の簡素化を図ることができる。
【００１４】
また、本遠隔操作システムにおいて、上記加圧流体量制御装置は、予め算出され、記憶手段に記憶された上記弾性伸縮体の物理特性と当該弾性伸縮体内の内圧値に対応したフィードフォワードゲイン値の組み合わせから構成される対応表をさらに備えており、上記加圧流体量制御装置は、さらに検出された前記弾性伸縮体の物理特性と上記フィードフォワードゲイン値を用い、ＰＩＤフィードフォーワード制御方法により、上記アクチュエータ制御量を算出することにすれば、さらに、最適な制御を行うことができるため好適である。
【００１５】
さらに、本発明において、動作検出装置は、各把持部材又は各弾性伸縮体の少なくとも一方に関し、その位置、移動速度又は加速度の少なくとも一つを検出することができる動作検出装置を備え、上記制御手段が、上記送信指令情報と、上記動作検出装置及び上記圧力検出装置の検出結果に基づいて、上記各弾性伸縮体に供給する加圧流体量を制御するための加圧流体量制御装置を有する構成とすれば、さらに、正確にその制御を行うことができる。
【発明の効果】
【００１６】
本発明によれば、安定した制御が可能となる遠隔操作システムを提供することができる。
【図面の簡単な説明】
【００１７】
【図１】本発明の遠隔操作システムの適用対象である作業車を示す側面図である。
【図２】本発明の遠隔操作システムを示す構成図である。
【図３】操作指令伝達装置を示す斜視図である。
【図４】作業車搭載ユニットを示す正面図である。
【図５】作業車搭載ユニットを示す側面図である（但し、右側の作業アームが省略されている）。
【図６】ソレノイドバルブ制御部の制御方法の概念を示すブロック図である。
【図７】（ａ）は、比例ゲイン対応マトリクスを示す説明図、（ｂ）は、微分ゲイン対応マトリクスを示す説明図、（ｃ）は、積分ゲイン対応マトリクスを示す説明図、（ｄ）は、フィードフォーワードゲイン対応マトリクスを示す説明図である。
【図８】本発明の遠隔操作システムの動作の説明図である。
【発明を実施するための形態】
【００１８】
以下、図面を参照しつつ、本発明の実施形態の一例について詳細に説明する。なお、図面の説明においては、同一要素には同一符号を付し、重複する説明を省略する。
【００１９】
［本遠隔操作システムの全体構成］
本遠隔操作システムＥは、操作者が、スタビライザー装置１２にアタッチメントとしてのフェラバンチャ１４が付設している作業車Ｃを遠隔操作するために用いられることを想定している。
【００２０】
本遠隔操作システムＥは、操作者が操作を行うための操作指令伝達装置Ｄ（操作指令伝達手段）と、作業車Ｃに設置されている作業車搭載ユニットＵから構成されており、当該操作指令伝達装置Ｄと作業車搭載ユニットＵは、無線通信手段により接続されている。
【００２１】
（Ａ）作業車
図１に示すように、作業車Ｃは、運転室１１がスタビライザー装置１２の上方に設けられている。運転室１１の前方には、略への字状に形成されたブーム１５と、ブーム１５に接続されたアーム１６を備えており、当該アーム１６は、ブーム１５の上面に延設されている油圧シリンダ１７により操作可能となっている。また、アーム１６の先端部には、フェラバンチャ１４が設けられており、ブーム１５の下面に付設されているウインチ１９及びアーム１６の上面に延設されている油圧シリンダ１８により操作可能となっている。
【００２２】
運転室１１の内部に設けられている運転席１３には、２本の作業レバーＲ１と、２本の走行レバーＲ２（いずれも運転操作手段）が設けられている（左作業レバーＲ１と左走行レバーＲ２レバーのみ図示する）。
２本の作業レバーＲ１は、前後方向への揺動及びこの前後方向と交叉する左右方向への揺動の組み合わせにより、作業車Ｃによる各種作業を行うための操作がなされるように構成されている。
また、２本の走行レバーＲ２は、前後方向に揺動することにより、作業車Ｃの走行、旋回動作がなされるように構成されている。
そして、左右の作業レバーＲ１の間に、２本の左右の走行レバーＲ２が設けられており、４本のレバーが横方向に並設されている。
【００２３】
上記運転席１３には、上記作業レバーＲ１及び走行レバーＲ２を操作するための作業車搭載ユニットＵが設置されている。この作業車登載ユニットＵは、下記操作指令伝達装置Ｄにより、遠隔操作されることになる。
【００２４】
（Ｂ）操作指令伝達装置
図２に示すように、操作指令伝達装置Ｄは、各運転操作部２１と、運転操作部２１から入力された操作信号に基づいて、作業レバーＲ１と走行レバーＲ２を遠隔操作するための操作指令情報（作業アーム４３及び走行アーム５３の目標推力等）を生成する操作者側中央制御部２２と、作業車側通信制御部７３との間で操作指令情報等のデータの送受信を行うための操作者側通信制御部２３とを備えている。上記操作者側中央制御部２２は、マイクロコンピュータによって構成されている。
【００２５】
図３に示すように、上記運転操作部２１は、ジョイスティック２１Ａ，２１Ｂを備えている。
また、この運転操作部２１には、操作者の嗜好に合った快適な操作感覚となるように、下記作業車搭載ユニットＵに使用されているものと同様の空気圧作動式のゴム状弾性材料で形成される伸縮体（弾性伸縮体、以下、「伸縮体」という。）が設けられている（図示せず）。このような構成より、伸縮体の内圧を制御することにより、ジョイスティック２１Ａ，２１Ｂの使用時において、所望の操作感覚が実現されるようになっている。
【００２６】
（Ｃ）作業車搭載ユニット
図２に示すように、作業車搭載ユニットＵは、作業レバーＲ１と走行レバーＲ２を動作させる動作実行装置４０（動作実行手段）と、動作実行装置４０を制御する作業車側制御装置７０（制御手段）と、を一体として、作業車Ｃの運転席１３に取り付け可能としたものである。
【００２７】
（１）取付部
図４及び図５に示すように、取付部３０は、側面視で倒立したＬ字形状の箱体３１と、その下部に設けられている側面視で逆Ｌ字形状のフレーム部材３２から形成されている。箱体３１の内部には、制御装置７０、バルブマニホールド６８及び当該バルブマニホールド６８に接続されているソレノイドバルブ６９（制御弁）が収容されている。
そして、この箱体３１の垂直面３１ａとフレーム部材３２の垂直材３３の部分が運転席１３に固定されている。
【００２８】
（２）動作実行装置
動作実行装置４０は、作業レバーＲ１及び走行レバーＲ２を操作するための装置であり、操作部４１と、操作部４１を構成する伸縮体４４，５４に圧縮空気を供給するための圧縮空気供給装置６５と、センサ部６１を備えている。
【００２９】
○操作部
操作部４１は、２本の作業レバーＲ１及び２本の走行レバーＲ２を操作するための装置である。この操作部４１は、左右の作業レバー操作部４２と、左右の走行レバー操作部５２とから構成されており、左右の作業レバー操作部４２の間に、左右の走行レバー操作部５２が配置されている。
【００３０】
左右の作業レバー操作部４２は、それぞれ左右の作業レバーＲ１を操作するための部材である。左右の作業レバーＲ１は、同一の構造を有しており、各作業レバーＲ１に対応する位置に設けられている。
【００３１】
各作業レバー操作部４２は、２本の作業アーム４３と、４本の伸縮体４４を主要な構成要素としている。
【００３２】
４本の各伸縮体４４は、十字形状の底部支持板４７の上面に設けられており、中央部に立設した中央部材４６と各突出部に立設した４本の伸縮体４４が、上部支持板４８を下方から支持している。この底部支持板４７は、逆Ｌ字形状のフレーム部材３２を形成する水平部３４に対して、斜め上方の向きに取り付けられている。
また、取付部材４９を介して、２本の作業アーム４３が、側面視凸状の円形上部支持板４８の前方に突設した状態で並設され、鉛直方向に回動可能及び水平方向に旋回可能となるように軸支されている。
【００３３】
左右の走行レバー操作部５２は、それぞれ左右の走行レバーＲ２を操作するための部材である。左右の走行レバーＲ２は、同一の構造を有しており、各走行レバーＲ２に対応する位置に設けられている。
【００３４】
各走行レバー操作部５２は、走行アーム５３と、２本の伸縮体５４を主要な構成要素としている。２本の各伸縮体５４は、細長形状の底部支持板５７の上面の両端部に立設しており、中央部に立設している中央部材５６とともに、細長形状の上部支持板５８を下方から支持している。この底部支持板５７は、フレーム部材３２を形成する水平部３４に対して、斜め上方の向きに取り付けられている。
また、取付部材５９を介して、走行アーム５３が、上部支持板５８の前方に突設した状態で、鉛直方向に回動可能となるように軸支されている。
【００３５】
なお、２本の作業アーム４３及び走行アーム５３の先端には、それぞれ、適切な態様の把持部材（図示せず）が設けられており、操作者が作業レバーＲ１及び走行レバーＲ２を把持する状態と同様の状態を維持することができるようになっている。
【００３６】
作業レバー操作部４２及び走行レバー操作部５２を構成する伸縮体４４，５４は、総て同一の部材であり、ゴム状弾性材料で構成される管状体の外周が、有機高張力繊維の編組み補強構造によって被覆されるとともに、両端開口が閉塞部材によって封止されており、閉塞部材に設けられた接続口を介して内部空間に圧縮空気を供給できる構造となっている。そして、内部空間へ圧縮空気（加圧流体）を供給すること及び内部空間から圧縮空気を排出することによりその長さが変化する（内部空間部へ圧縮空気を供給することにより長さが収縮し、内部空間部から圧縮空気を排出することにより長さが伸長する）ようになっており、その長さを変化させることで、作業アーム４３及び走行アーム５３の位置を自由に変化させることができるように構成されている。
【００３７】
○センサ部
センサ部６１は、各作業アーム４３及び各走行アーム５３の加速度を検出する４個の加速度センサ６２（動作検出装置）と、各伸縮体４４，５４の長さを検出する長さセンサ６３（物理特性検出装置）と、各伸縮体４４，５４の内圧を検出する圧力センサ６４とを備えている。これらの各センサ６２〜６４によって、それぞれの値が常時検出されており、検出値は所定の信号に変換され、後記する作業車側制御装置７０に送信されている（図２参照）。
【００３８】
○圧縮空気供給装置
圧縮空気供給装置６５は、空気圧縮機６６（加圧流体供給装置）とエアタンク６７とバルブマニホールド６８とソレノイドバルブ６９を主な構成要素としている。
【００３９】
空気圧縮機６６は、運転室１１の内部に設けられており、取付部３０の箱体３１の上部隅各部に横設されているエアタンク６７に常時、圧縮空気を供給することができるようになっている。エアタンク６７は、接続管（図示せず）を介して、バルブマニホールド６８に接続されている。このバルブマニホールド６８には、伸縮体４４，５４の総数１２本の２倍である２４個のソレノイドバルブ６９が付設されているノズルが設けられている。各ソレノイドバルブ６９は、作業車側制御装置７０のソレノイドバルブ制御部８１（加圧流体量制御装置）により、それぞれの開度が調節されることにより、各伸縮体４４，５４に所望の空気量の圧縮空気を供給可能となっている。
【００４０】
（３）作業車側制御装置
作業車側制御装置７０は、操作指令伝達装置Ｄから送信された操作指令情報（各伸縮体４４，５４の目標推力、作業アーム４３及び走行アーム５３の目標加速度等）を受信し、上記センサ部６１により計測された検出値に基づいて各種制御を行う装置であり、マイクロコンピュータによって構成されている。
【００４１】
この作業車側制御装置７０は、操作者側通信制御部２３との間でデータの送受信を行うための作業車側通信制御部７３と、ソレノイドバルブ制御部８１を有している。
【００４２】
ソレノイドバルブ制御部８１は、受信した操作指令情報と、各加速度センサ６２の検出値と、各長さセンサ６３の検出値と、各圧力センサ６４の検出値の信号に基づいて、ＰＩＤフィードフォーワード制御方式（ＰＩＤ制御方式とフィードフォーワード制御方式の組み合わせ）により、各ソレノイドバルブ６９の開度を制御するための装置であり、ＰＩＤ補償演算部８２と、フィードフォーワード補償演算部８３（以下、フィードフォーワードを「ＦＦ」という。）と、ゲイン決定部８４と、ＰＷＭ指令出力部８５を備えている（図２及び図６参照）。
【００４３】
○ＰＩＤ補償演算部
ＰＩＤ補償演算部８２は、制御目標である作業アーム４３及び走行アーム５３の目標推力（以下、「目標推力」という。）に対して、ＰＩＤ制御を行うためのデータを算出するための装置である。なお、ＰＩＤ制御は公知の制御方法を用いることができる。
ＰＩＤ補償演算部８２では、入力された目標推力ｆmと、圧力センサ６４によって検出された実推力ｆnと、後記ゲイン決定部で決定された比例ゲインＰg、微分ゲインＤg及び積分ゲインＩgの値に基づいて、比例項、微分項及び積分項を算出し、その和をＰＩＤ出力値とすることができるようになっている（式１）。
ＰＩＤ出力値＝Ｐg×（ｆn―ｆm）＋Ｄg×{（ｆn―ｆm）―（ｆn-1―ｆm-1）}
＋Ｉg×Σ（ｆn−ｆｍ）                                  （式１）
（（式１）中における「−１」の符号は、一時点前の検出時の状態を示している。）
【００４４】
○ＦＦ補償演算部
ＦＦ補償演算部８３は、制御目標である作業アーム４３及び走行アーム５３の目標推力に対して、ＦＦ制御を行うためのデータを算出するための装置である。なお、ＦＦ制御は公知の制御方法を用いることができる。
【００４５】
ＦＦ補償演算部８３では、入力された目標推力ｆmと、圧力センサ６４によって検出された実推力ｆnと、微小時間ごとの加算目標力ｆｆ（＝δi/ｄt）と、後記ゲイン決定部８４で決定されたＦＦゲインＦgの値に基づいてＦＦ加算項を算出し、ＦＦ出力値を算出することができるようになっている（式２）。
ＦＦ出力値＝Ｆg×｛ｆn―ｆm）―（ｆn-1―ｆm-1）＋ｆｆ｝               （式２）
【００４６】
○ゲイン決定部
ゲイン決定部８４は、長さセンサ６３により検出された伸縮体４４，５４の長さと、圧力センサ６４により検出された当該伸縮体４４，５４の内圧に対応する比例ゲインＰg、微分ゲインＤg、積分ゲインＩg及びＦＦゲインＦgの値を決定する装置である。
【００４７】
本遠隔操作システムＥに使用する伸縮体４４，５４において、収縮率と内圧の相関関係は非線形の作動特性を有しており、その長さに応じて作動特性も変化してしまう。そのため、伸縮体の長さ４４，５４と当該伸縮体４４，５４の内圧値に対応した比例ゲインＰg、微分ゲインＤg、積分ゲインＩg及びＦＦゲインＦgの値の組み合わせが予め算出され、それぞれの対応表（比例ゲイン対応マトリクス、微分ゲイン対応マトリクス、積分ゲイン対応マトリクス、ＦＦゲイン対応マトリクス）として、ハードディスク等のデータ記憶部９１により格納されている。
【００４８】
図７（ａ）に示すように、比例ゲイン対応マトリクスは、使用する伸縮体の長さと内圧値に対して、比例ゲインの値を算出して、二次元のマトリクスとして記憶されているものである。比例ゲインの値を算出する際には、離散的としても、連続的としてもよく、その数等も任意に定めることができる（微分ゲイン対応マトリクス、積分ゲイン対応マトリクス、ＦＦゲイン対応マトリクスに関しても、比例ゲイン対応マトリクスと同様の考え方で作成されている（図７（ｂ）〜（ｄ）参照））。
【００４９】
ゲイン決定部８４では、入力された伸縮体４４，５４の長さと内圧に対応する各ゲインの値を、データ記憶部９１に格納されている各対応表から抽出し、比例ゲインＰg、微分ゲインＤg、積分ゲインＩgの各値をＰＩＤ補償演算部８２に出力するとともに、ＦＦゲインＦgの値をＦＦ補償演算部８３に出力することができるように構成されている。
【００５０】
○ＰＷＭ指令出力部
ＰＷＭ指令出力部８５は、ソレノイドバルブ６９の弁開度を決定するアクチュエータ制御量ΔＴＨnをＰＷＭ信号（Pulse Width Modulation信号）として出力し、ソレノイドバルブ６９に伝えるための装置である。
【００５１】
上記アクチュエータ制御量ΔＴＨnは、ＰＩＤ補償演算部８２からのＰＩＤ出力値とＦＦ補償演算部８３からのＦＦ出力値の和として算出された制御変数に、制御対象の伝達関数に合わせて計算された出力値（ソレノイドバルブ６９の開度値）（以下、「制御対象」という。）を乗ずることにより求められる（（式３））。
ΔＴＨn＝（ＰＩＤ出力＋ＦＦ出力）×制御対象                           （式３）
（アクチュエータ制御量ΔＴＨnは、ソレノイドバルブ６９の開度の一時点前の検出時に対する今回検出時の変更量を示している。）
【００５２】
このような構成により、各伸縮体４４，５４のソレノイドバルブ６９の開度が調節されることにより、各伸縮体４４，５４に所望の空気量の圧縮空気を供給可能となっている。そして、それに伴い、各伸縮体４４，５４の長さを変化させ、作業アーム４３及び走行アーム５３を所望の箇所に位置させることにより、所望の動作を行わせることができるようになっている。
【００５３】
［本遠隔操作システムの動作］
次に、図８を参照して、本遠隔制御システムＥの動作について説明する。
操作者は、作業車Ｃから一定距離離れた地点から、操作指令伝達装置Ｄの運転操作部２１により所望の操作を行う（ＳＴ１）。すると、操作者側中央制御部２２により目標推力ｆmのデータが作成され、通信手段を介して、操作者側通信制御部２３及び作業車側通信制御部７３を通じて作業機側制御装置７０に送信される（ＳＴ２）。
【００５４】
一方、各作業アーム４３及び各走行アーム５３において、加速度センサ６２により、実推力ｆnが検出されるとともに（ＳＴ３）、長さセンサ６３及び圧力センサ６４により、各伸縮体４４，５４の長さ及び内圧がそれぞれ検出されて（ＳＴ４）、作業機側制御装置７０に送信される。
【００５５】
ソレノイドバルブ制御部８１におけるゲイン決定部８４では、伸縮体４４，５４の長さと当該伸縮体４４，５４の内圧に対応した比例ゲインＰg、微分ゲインＤg、積分ゲインＩg及びＦＦゲインＦgの値をデータ記憶部９１の各対応表から抽出し、比例ゲインＰg、微分ゲインＤg、積分ゲインＩgの値をＰＩＤ補償演算部８２に出力するとともに、ＦＦゲインＦgの値をＦＦ補償演算部８４に出力する（ＳＴ５）。
【００５６】
ＰＩＤ補償演算部８２では、入力された目標推力ｆmと、実推力ｆnと、比例ゲインＰg、微分ゲインＤg及び積分ゲインＩgに基づいてＰＩＤ出力を算出し、ＰＷＭ指令出力部８５に送信する。また、ＦＦ補償演算部８３では、入力された目目標推力ｆmと、実推力ｆnと、ＦＦゲインＦgの値に基づいてＦＦ出力値を算出し、ＰＷＭ指令出力部８５に送信する（ＳＴ６）。
【００５７】
ＰＷＭ指令出力部８５では、ＰＩＤ補償演算部８２のＰＩＤ出力値と、ＦＦ補償演算部８３からのＦＦ出力値に基づき、アクチュエータ制御量ΔＴＨnを算出してＰＷＭ信号として出力し、ソレノイドバルブ６９に伝える（ＳＴ７）。
【００５８】
ＰＷＭ信号を受信したソレノイドバルブではその開度が調節され、伸縮体４４，５４に所望の空気量の圧縮空気が供給されることになる（ＳＴ８）。このような制御が連続して行われることで、作業アーム４３及び走行アーム５３の目標推力ｆmへの収束が円滑に行われることになる。それに伴い、各伸縮体４４，５４の長さを変化させて、作業アーム４３及び走行アーム５３を所望の箇所に位置させることで、その動作を行うことができる。
【００５９】
（本遠隔操作システムの効果）
本遠隔操作システムＥによれば、ソレノイドバルブ制御部８１が、予め算出され、データ記憶部９１に記憶された伸縮体４４，５４の長さと当該伸縮体４４，５４の内圧値に対応した比例ゲインＰg、微分ゲインＤg、積分ゲインＩg及びＦＦゲインＦgの値の対応テーブルを備えており、伸縮体４４，５４の長さに対応する当該比例ゲインＰg、微分ゲインＤg、積分ゲインＩg及びＦＦゲインＦgの値に基づき、ＰＩＤＦＦ制御方法によりソレノイドバルブ６９の開度を調節することができる。そのため、伸縮体４４，５４の長さと当該伸縮体４４，５４の内圧が非線形の作動特性を有する場合であり、伸縮体４４，５４の長さが常時変化している状態であっても、空気圧縮機６６からの圧縮空気の供給量を最適な量に調節することにより、伸縮体４４，５４の内圧を制御することができる。したがって、伸縮体４４，５４の安定的な動作に基づき、作業アーム４３及び走行アーム５３の位置決めを容易に行うことが可能となるため、作業車Ｃの作業レバーＲ１及び走行レバーＲ２をスムーズに動作させることができる。
【００６０】
また、本遠隔操作システムＥによれば、簡易な装置により伸縮体４４，５４を安定的に制御可能となるため、装置の軽量化及び装置の取付作業の簡素化を図ることができる。
【００６１】
以上、本発明について、好適な実施形態についての一例を説明したが、本発明は当該実施形態に限られず、本発明の趣旨を逸脱しない範囲で適宜設計変更が可能である。
【００６２】
特に、本遠隔システムにおいては、複数の異なる動作特性を有する伸縮体の組み合わせを用いて、動作実行手段を構成すると更に好適である。
例えば、２種類の異なる動作特性を有する伸縮体（Ａ、Ｂ）を並設して、操作部材を形成する場合においても、各々の伸縮体の動作特性と、当該伸縮体の内圧値に応じた各種ゲイン値の対応表を算出して記憶させておくことや、各伸縮体のゲイン値の相対的な換算比率（Ａ／Ｂ＝０．５、Ａ／Ｂ＝０．６５など）を変えることによって、目標推力に対して外乱が生じた場合であっても、安定した制御を実現することができることになる。
【００６３】
また、本実施形態では、作業車として、フェラバンチャを設けた木材伐採用の建設機械を使用しているが、作業車は他の建設機械を利用することもできる。
また、通信手段は、無線でも有線でもよく、両者を併用することもできる。
【００６４】
また、操作手段として、それぞれ左右の作業レバー及び走行レバーを使用しているが、操作スイッチ等、他の運転手段を使用することもできる。さらに、運転操作部は、ジョイスティックと類似した操作によって操作位置を入力し得る従来公知の運転操作手段や操作スイッチを備える構成とすることもできる。
また、作業アーム及び走行アームを構成する伸縮体の数及びバルブマニホールドに設けられているソレノイドバルブの数も、適宜変更可能である。
【００６５】
また、本実施形態では、圧縮空気の消費流量を少なくし、装置全体のコンパクト化を実現させるために、圧縮空気供給装置における制御弁として、ＯＮ−ＯＦＦ駆動式のソレノイドバルブを使用している。しかし、制御弁として、アナログ電圧駆動式のサーボバルブを使用することもできる。
【００６６】
また、加圧流体量制御装置には、ＰＩＤ補償演算部に加えて、ＦＦ補償演算部が設けられているが、ＰＩＤ補償演算部のみを備える構成とすることもできる。
さらに、各伸縮体における物理特性に関して、伸縮体の長さではなく、伸び率、比重、温度などの値として、それらの値と、内圧値との関係に対応したゲイン値を対応表として記憶させ、ＰＩＤ出力値及びＦＦ出力値を算出する際に用いることもできる。
【符号の説明】
【００６７】
Ｅ    本遠隔操作システム
Ｃ    作業車
Ｄ    操作指令伝達装置（操作指令伝達手段）
Ｕ    作業車搭載ユニット
２１  運転操作部
２２  操作者側中央制御部
２３  操作者側通信制御部
３０  取付部
４０  動作実行装置（動作実行手段）
４１  操作部
４２  作業レバー操作部
４３  作業アーム
４４，５４  伸縮体
５２  走行レバー操作部
５３  走行アーム
６１  センサ部
６２  加速度センサ
６３  長さセンサ（物理特性検出装置）
６４  圧力センサ
６５  圧縮空気供給装置
６６  空気圧縮機（加圧流体供給装置）
６９  ソレノイドバルブ（制御弁）
７０  作業車側制御装置（制御手段）
７３  作業車側通信制御部
８１  ソレノイドバルブ制御部（加圧流体量制御装置）
８２  ＰＩＤ補償演算部
８３  フィードフォーワード（ＦＦ）補償演算部
８４  ゲイン決定部
８５  ＰＷＭ指令出力部
９１  データ記憶部（記憶手段）
【図１】
2015096291.tif 000003
【図２】
2015096291.tif 000004
【図３】
2015096291.tif 000005
【図４】
2015096291.tif 000006
【図５】
2015096291.tif 000007
【図６】
2015096291.tif 000008
【図７】
2015096291.tif 000009
【図８】
2015096291.tif 000010